(57)【要約】      （修正有）【課題】定規竿板部の幅方向の両側面及び上記基板部の幅方向の両側面を同時に挟圧保持することにより上側の定規竿板部と下側の基板部とが相対的に水平方向にずれることを防ぐことができ、上側の定規竿板部と下側の基板部との相互の振れ止めを行うことができる丸鋸用ガイド具を提供する。【解決手段】定規板材１は、丸鋸に取り付けられて被加工物の上方に配置される定規竿板部１ａ、被加工物の側方にして定規竿板部の下側に配置され、ガイド部材２が設けられる基板部１ｂ、及び、定規竿板部の一方側部と基板部の一方側部とを連結する連結部１ｃからなり、定規竿板部の幅方向の両側面Ｆ・Ｆ及び基板部の幅方向の両側面Ｇ・Ｇを同時に挟圧保持可能な振止機構３を設けてなる。【選択図】図１
0003176691.tif 000002
【実用新案登録請求の範囲】
【請求項１】
丸鋸に着脱自在に取り付けられ、鋸刃の進行方向と直交する方向に配置される定規板材と、該定規板材の一方側部側に設けられ、被加工物の側面に当接する鋸刃の進行方向と平行なガイド面を有するガイド部材とからなり、上記定規板材は、上記丸鋸に取り付けられて被加工物の上方に配置される定規竿板部、該被加工物の側方にして該定規竿板部の下側に配置され、上記ガイド部材が設けられる基板部、及び、該定規竿板部の一方側部と該基板部の一方側部とを連結する連結部からなり、上記定規竿板部の幅方向の両側面及び上記基板部の幅方向の両側面を同時に挟圧保持可能な振止機構を設けてなることを特徴とする丸鋸用ガイド具。
【請求項２】
上記振止機構は、少なくとも、上記定規竿板部の幅方向の一方側面及び上記基板部の幅方向の一方側面を同時に押圧可能な一方挟圧片、該定規竿板部の幅方向の他方側面及び上記基板部の幅方向の他方側面を同時に押圧可能な他方挟圧片、及び、該一方挟圧片及び該他方挟圧片を相互に押圧近接移動させる螺子機構からなることを特徴とする請求項１記載の丸鋸用ガイド具。
【考案の詳細な説明】
【技術分野】
【０００１】
本考案は、例えば、携帯用電気丸鋸に取り付けて用いられる丸鋸用ガイド具に関するものである。
【背景技術】
【０００２】
従来、この種の丸鋸用ガイド具として、丸鋸に着脱自在に取り付けられ、鋸刃の進行方向と直交する方向に配置される定規板材と、定規板材の一方側部側に設けられ、被加工物の側面に当接する鋸刃の進行方向と平行なガイド面を有するガイド部材とからなる構造のものが知られている。
【０００３】
しかして、被加工物の側面にガイド部材のガイド面を当接して丸鋸を切断進行することにより丸鋸の鋸刃を被加工物の側面に沿って真っ直ぐに進行させることができると共に均一な幅に被加工物を切断することができる。
【先行技術文献】
【特許文献】
【０００４】
【特許文献１】実開昭５２−０２８２９４号
【特許文献２】実用新案登録第３１１１７１３号
【考案の概要】
【考案が解決しようとする課題】
【０００５】
しかしながら上記従来構造の場合、上記定規板材は、上記丸鋸に取り付けられて被加工物の上方に配置される定規竿板部、該被加工物の側方にして定規部材の下側に配置され、上記ガイド部材が設けられる基板部、及び、該定規竿板部の一方側部と該基板部の一方側部とを連結する連結部からなり、被加工物の側面にガイド部材のガイド面を当接して丸鋸を切断進行するとき、定規竿板部が丸鋸側に取り付けられ、丸鋸の切断進行時にガイド部材は被加工物の側面に摺接して進行することから、上側の定規竿板部と下側の基板部とが上記連結部の近傍を旋回中心として相対的に水平方向にずれることがあり、このため、切断進行を円滑に進行案内することができなかったり、均一な幅に被加工物を切断することができないことがあるという不都合を有している。
【課題を解決するための手段】
【０００６】
本考案はこれらの不都合を解決することを目的とするもので、本考案のうちで、請求項１記載の考案は、丸鋸に着脱自在に取り付けられ、鋸刃の進行方向と直交する方向に配置される定規板材と、該定規板材の一方側部側に設けられ、被加工物の側面に当接する鋸刃の進行方向と平行なガイド面を有するガイド部材とからなり、上記定規板材は、上記丸鋸に取り付けられて被加工物の上方に配置される定規竿板部、該被加工物の側方にして該定規竿板部の下側に配置され、上記ガイド部材が設けられる基板部、及び、該定規竿板部の一方側部と該基板部の一方側部とを連結する連結部からなり、上記定規竿板部の幅方向の両側面及び上記基板部の幅方向の両側面を同時に挟圧保持可能な振止機構を設けてなることを特徴とする丸鋸用ガイド具にある。
【０００７】
又、請求項２記載の考案は、上記振止機構は、少なくとも、上記定規竿板部の幅方向の一方側面及び上記基板部の幅方向の一方側面を同時に押圧可能な一方挟圧片、該定規竿板部の幅方向の他方側面及び上記基板部の幅方向の他方側面を同時に押圧可能な他方挟圧片、及び、該一方挟圧片及び該他方挟圧片を相互に押圧近接移動させる螺子機構からなることを特徴とするものである。
【考案の効果】
【０００８】
本考案は上述の如く、請求項１記載の考案にあっては、定規板材を丸鋸に着脱自在に取り付け、被加工物の側面にガイド部材のガイド面を当接して丸鋸を切断進行することにより丸鋸の鋸刃を被加工物の側面に沿って真っ直ぐに進行させることができると共に均一な幅に被加工物を切断することができ、この際、上記定規竿板部の幅方向の両側面及び上記基板部の幅方向の両側面を同時に挟圧保持可能な振止機構を設けているから、振止機構により上記定規竿板部の幅方向の両側面及び上記基板部の幅方向の両側面を同時に挟圧保持することにより上側の定規竿板部と下側の基板部とが相対的に水平方向にずれることを防ぐことができ、上側の定規竿板部と下側の基板部との相互の振れ止めを行うことができ、丸鋸の鋸刃の切断進行を円滑に進行案内することができ、均一な幅に被加工物を切断することができる。
【０００９】
又、請求項２記載の考案にあっては、上記振止機構は、少なくとも、上記定規竿板部の幅方向の一方側面及び上記基板部の幅方向の一方側面を同時に押圧可能な一方挟圧片、定規竿板部の幅方向の他方側面及び上記基板部の幅方向の他方側面を同時に押圧可能な他方挟圧片、及び、一方挟圧片及び他方挟圧片を相互に押圧近接移動させる螺子機構からなるので、螺子機構により一方挟圧片及び他方挟圧片を相互に近接移動させ、この近接移動による一方挟圧片及び他方挟圧片の挟圧動作によって上記定規竿板部の幅方向の両側面及び上記基板部の幅方向の両側面を同時に挟圧保持することができ、上側の定規竿板部と下側の基板部とが相対的に水平方向にずれることを防ぐことができ、上側の定規竿板部と下側の基板部との相互の振れ止めを行うことができ、丸鋸の鋸刃の切断進行を円滑に進行案内することができ、均一な幅に被加工物を切断することができる。
【図面の簡単な説明】
【００１０】
【図１】本考案の実施の第一形態例の斜視図である。
【図２】本考案の実施の第一形態例の全体正面図である。
【図３】本考案の実施の第一形態例の分離斜視図である。
【図４】本考案の実施の第一形態例の部分断面図である。
【図５】本考案の実施の第一形態例の部分横断面図である。
【図６】本考案の実施の第一形態例の使用状態の斜視図である。
【図７】本考案の実施の第一形態例の使用状態の平面図である。
【図８】本考案の実施の第二形態例の全体正面図である。
【図９】本考案の実施の第二形態例の部分斜視図である。
【図１０】本考案の実施の第二形態例の部分断面図である。
【考案を実施するための形態】
【００１１】
図１乃至図１０は本考案の実施の形態例を示し、図１乃至図７は第一形態例、図８乃至図１０は第二形態例である。
【００１２】
図１乃至図７の第一形態例において、１は定規板材、２はガイド部材であって、定規板材１は、丸鋸Ｍに取り付けられて被加工物Ｗの上方に配置される定規竿板部１ａ、被加工物Ｗの側方にして定規竿板部１ａの下側に配置され、上記ガイド部材２が設けられる基板部１ｂ、及び定規竿板部１ａの一方側部と基板部１ｂの一方側部とを連結する連結部１ｃからなり、この場合、連結部１ｃは定規竿板部１ａと基板部１ｂとを一体に連結する折曲板部分に形成され、図７の如く、使用時において、定規板材１の定規竿板部１ａは電動式の丸鋸Ｍのベース板Ｍ１の両立上縁部にそれぞれ形成された挿通穴部Ｍ２・Ｍ２に挿通され、挿通後に、蝶ボルトＭ３を緊締することにより、定規板材１の定規竿板部１ａを丸鋸Ｍに着脱自在に取り付けるように構成されている。
【００１３】
又、上記定規板材１の定規竿板部１ａの表面には長さ目盛Ｅが形成され、図７の如く、定規板材１は鋸刃Ｎの進行方向Ｔと直交する方向に配置され、図４の如く、ガイド部材２は定規板材１の基板部１ｂの一方側部側にリベットＫにより設けられ、被加工物Ｗ、この場合、板材の側面Ｗ１に当接する鋸刃Ｎの進行方向Ｔと平行なガイド面２ａが形成されている。
【００１４】
この場合、図１、図４の如く、上記ガイド部材２はガイド基材２ｂ及びスライド板材２ｃからなり、スライド板材２ｃにガイド面２ａが形成され、ガイド基材２ｂにスライド板材２ｃを長穴２ｄ・２ｄ及びボルト部材２ｅ・２ｅにより丸鋸Ｍの鋸刃Ｎの進行方向Ｔの前後方向にスライド自在に固定するように構成している。
【００１５】
３は振止機構であって、図５の如く、上記定規竿板部１ａの幅方向の両側面Ｆ・Ｆ及び上記基板部１ｂの幅方向の両側面Ｇ・Ｇを同時に挟圧保持可能な構造になっており、この場合、上記振止機構３は、上記定規竿板部１ａの幅方向の一方側面Ｆ及び上記基板部１ｂの幅方向の一方側面Ｇを同時に押圧可能な一方挟圧片３ａ、定規竿板部１ａの幅方向の他方側面Ｆ及び上記基板部１ｂの幅方向の他方側面Ｇを同時に押圧可能な他方挟圧片３ｂ、一方挟圧片３ａ及び他方挟圧片３ｂの上面間に溶接固定された係合片３ｃ、及び、該一方挟圧片３ａ及び他方挟圧片３ｂを相互に押圧近接移動させる螺子機構４からなり、この螺子機構４として、頭付ボルト４ａを他方挟圧片３ｂから一方挟圧片３ａに挿通し、頭付ボルト４ａの一方挟圧片３ａからの突出部分に締付ナット４ｂを螺着し、頭付ボルト４ａと締付ナット４ｂとの緊締弛緩回動により一方挟圧片３ａ及び他方挟圧片３ｂを相互に近接移動させ、この近接移動による一方挟圧片３ａ及び他方挟圧片３ｂの挟圧動作によって上記定規竿板部１ａの幅方向の両側面Ｆ・Ｆ及び上記基板部１ｂの幅方向の両側面Ｇ・Ｇを同時に挟圧保持することにより上側の定規竿板部１ａと下側の基板部１ｂとの振れ止め、すなわち、上記連結部１ｃの近傍を旋回中心として定規竿板部１ａと下側の基板部１ｂとが相対的に水平方向にずれることを防ぐようにしている。
【００１６】
この実施の第一形態例は上記構成であるから、図６、図７の如く、定規板材１を丸鋸Ｍに着脱自在に取り付け、被加工物Ｗの側面Ｗ１にガイド部材２のガイド面２ａを当接して丸鋸Ｍを切断進行することにより丸鋸Ｍの鋸刃Ｎを被加工物Ｗの側面Ｗ１に沿って真っ直ぐに進行させることができると共に均一な幅に被加工物Ｗを切断することができ、この際、上記定規竿板部１ａの幅方向の両側面Ｆ・Ｆ及び上記基板部１ｂの幅方向の両側面Ｇ・Ｇを同時に挟圧保持可能な振止機構３を設けているから、振止機構３により上記定規竿板部１ａの幅方向の両側面Ｆ・Ｆ及び上記基板部１ｂの幅方向の両側面Ｇ・Ｇを同時に挟圧保持することにより上側の定規竿板部１ａと下側の基板部１ｂとが相互に上記連結部１ｃの近傍を旋回中心として相対的に水平方向にずれることを防ぐことができ、上側の定規竿板部１ａと下側の基板部１ｂとの相互の振れ止めを行うことができ、丸鋸Ｍの鋸刃Ｎの切断進行を円滑に進行案内することができ、均一な幅に被加工物Ｗを切断することができる。
【００１７】
この場合、上記振止機構３は、上記定規竿板部１ａの幅方向の一方側面Ｆ及び上記基板部１ｂの幅方向の一方側面Ｇを同時に押圧可能な一方挟圧片３ａ、定規竿板部１ａの幅方向の他方側面Ｆ及び上記基板部１ｂの幅方向の他方側面Ｇを同時に押圧可能な他方挟圧片３ｂ、一方挟圧片３ａ及び他方挟圧片３ｂの上面間に溶接固定された係合片３ｃ、及び、一方挟圧片３ａ及び他方挟圧片３ｂを相互に押圧近接移動させる螺子機構４からなるので、螺子機構４により一方挟圧片３ａ及び他方挟圧片３ｂを相互に近接移動させ、この近接移動による一方挟圧片３ａ及び他方挟圧片３ｂの挟圧動作によって上記定規竿板部１ａの幅方向の両側面Ｆ・Ｆ及び上記基板部１ｂの幅方向の両側面Ｇ・Ｇを同時に挟圧保持することができ、上側の定規竿板部１ａと下側の基板部１ｂとが相対的に水平方向にずれることを防ぐことができ、上側の定規竿板部１ａと下側の基板部１ｂとの相互の振れ止めを行うことができ、丸鋸Ｍの鋸刃Ｎの切断進行を円滑に進行案内することができ、均一な幅に被加工物を切断することができる。
【００１８】
図８乃至図１０の第二形態例は別例構造を示し、上記第一形態例と同一態様部分には同符号を付し、この場合、上記定規板材１の連結部１ｃは上記折曲部分に代えて四角枠板状の接続枠体１ｄを形成し、接続枠体１ｄに基板部１ｂを固定すると共に接続枠体１ｄに定規竿板部１ａを引出自在な差込嵌合部１ｅを形成し、接続枠体１ｄに差込嵌合部１ｅに差し込まれた定規竿板部１ａを固定する固定ボルト１ｆを螺着して構成し、この上記定規竿板部１ａの幅方向の両側面Ｆ・Ｆ及び上記基板部１ｂの幅方向の両側面Ｇ・Ｇを同時に挟圧保持可能な上記第一形態例と同様な振止機構３を設けて構成している。
【００１９】
この実施の第二形態例は上記構成であるから、上記第一形態例と同様な作用効果を得ることができる。
【００２０】
尚、本考案は上記実施の形態例に限られるものではなく、定規板材１、ガイド部材２、振止機構３の構造や形状、大きさ等は適宜変更して設計されるものである。
【００２１】
以上、所期の目的を充分達成することができる。
【符号の説明】
【００２２】
Ｍ    丸鋸
Ｎ    鋸刃
Ｔ    進行方向
Ｗ    被加工物
Ｗ１    側面
Ｆ    側面
Ｇ    側面
１    定規板材
１ａ    定規竿板部
１ｂ    基板部
１ｃ    連結部
２    ガイド部材
２ａ    ガイド面
３    振止機構
３ａ    一方挟圧片
３ｂ    他方挟圧片
４    螺子機構
【図１】
0003176691.tif 000003
【図２】
0003176691.tif 000004
【図３】
0003176691.tif 000005
【図４】
0003176691.tif 000006
【図５】
0003176691.tif 000007
【図６】
0003176691.tif 000008
【図７】
0003176691.tif 000009
【図８】
0003176691.tif 000010
【図９】
0003176691.tif 000011
【図１０】
0003176691.tif 000012